(57)【特許請求の範囲】
【請求項１】
梁フランジ上に置かれた複数の床板が、各床板に形成されている貫通孔に装着された床板固定具によって、上記梁フランジに固定される床板固定構造において、梁フランジの上面上に位置する貫通孔に装着された第１床板固定具により固定される第１固定構造部と、梁フランジの上面外に位置する貫通孔に装着された第２床板固定具により固定される第２固定構造部とが混在しており、
上記床板は緩衝部材を介して梁フランジ上に置かれ、
上記第１固定構造部で用いられる第１床板固定具は、
上記貫通孔に挿入される軸部と、
上記軸部を上記床板の上面側で係止する係止部と、
上記軸部の下端側に設けられた連結部と
上側片と下側片とこれらを繋ぐ繋ぎ部とを有して上記梁フランジの縁に係合し、上記上側片の厚さが上記緩衝部材の厚さよりも薄く、且つ上記上側片がカット部を有しており、上記床板の下面側で上記連結部に、上記カット部によって上記軸部と交差する方向の操作で着脱自在に連結される係合部と、とを有することを特徴とする床板固定構造。
【請求項２】
請求項１に記載の床板固定構造において、少なくとも上端側に螺子部を有する上記軸部の下部に上記連結部が固定されており、上記上側片と上記連結部との接触状態からの上記螺子部に螺合されたナットの締め付けにおいて、上記上側片と上記軸部の下端と上記連結部との相対位置に変位が生じないことを特徴とする床板固定構造。
【請求項３】
請求項１または請求項２に記載の床板固定構造において、上記複数の床板は、同一種で上記貫通孔を同一位置に有している一方、上記梁フランジとして異なるサイズが用いられることを特徴とする床板固定構造。
【請求項４】
請求項１〜請求項３のいずれか１項に記載の床板固定構造において、上記第２固定構造部で用いられる第２床板固定具は、上記貫通孔に上側から挿入されて当該貫通孔の下側から出る箇所に、上記梁フランジの下面側に位置できるフックを有することを特徴とする床板固定構造。
【請求項５】
床板を梁フランジに固定する床板固定具において、
少なくとも上端側に螺子部を有する軸部と、
上記軸部の上端側で当該軸部に交差する方向に張り出す係止部と、
上記軸部の下端側に設けられており、上記係止部よりも張り出し量が小さくされた連結部と、
上側片と下側片とこれらを繋ぐ繋ぎ部とを有して上記梁フランジの縁に係合し、上記上側片がカット部を有しており、上記連結部に、上記カット部によって上記軸部と交差する方向の操作で着脱自在に連結される係合部と、を有しており、
上記上側片と上記連結部との接触状態からの上記螺子部に螺合されたナットの締め付けにおいて、上記上側片と上記軸部の下端と上記連結部との相対位置に変位が生じないことを特徴とする床板固定具。
【発明の詳細な説明】
【技術分野】
【０００１】
この発明は、梁フランジ上に置かれた床板が上記梁フランジに固定される床板固定構造および床板固定具に関する。
【背景技術】
【０００２】
特許文献１には、梁フランジ上に置かれた床板が、各床板に形成されている貫通孔に装着された固定金具によって、上記梁フランジに固定される床板固定構造が開示されている。この床板固定構造に用いられる固定金具は、金物基体の下端に回転により傾倒できるフックを備えており、このフックは、上記金物基体に沿う退避位置から、自重で特定の一方向に回動傾倒し、側方に開くことができる。そして、上記金物基体にはボルトが螺合されており、ボルトの回転締め付けにより、座金部材とフックの間に、上記床板と梁フランジとが挟まれて固定される。
【０００３】
ところで、建物の床構造において異なるサイズの梁フランジが用いられる設計となる場合があり、このような場合においては、上記固定金物と梁フランジとの位置関係を一定に保つために、梁フランジのサイズに合せて異なる位置に貫通孔が形成された複数種の床板を用いることが行われる。
【先行技術文献】
【特許文献】
【０００４】
【特許文献１】特開２００１−１４６８０７号公報
【発明の概要】
【発明が解決しようとする課題】
【０００５】
しかしながら、上記のように、複数種の床板を用意して建物を建てる場合には、用いる床板の種類ごとの配置が指定されることになるため、同一種の床板を単純に配置していく場合に比べ、床板の種別を明示した配置の指示が必要になるなど、施工上の制約が多くなり、効率的に作業を進めることが困難になるという欠点があった。
【０００６】
この発明は、上記の事情に鑑み、床板の設置固定作業を効率的に行うことができる床板固定構造および床板固定具を提供する。
【課題を解決するための手段】
【０００７】
この発明の床板固定構造は、上記の課題を解決するために、梁フランジ上に置かれた複数の床板が、各床板に形成されている貫通孔に装着された床板固定具によって、上記梁フランジに固定される床板固定構造において、梁フランジの上面上に位置する貫通孔に装着された第１床板固定具により固定される第１固定構造部と、梁フランジの上面外に位置する貫通孔に装着された第２床板固定具により固定される第２固定構造部とが混在することを特徴とする。
【０００８】
上記の構成であれば、梁フランジの上面上に床板の貫通孔が位置する箇所と、梁フランジの上面外に床板の貫通孔が位置する箇所とが混在する場合でも、上記梁フランジの上面上に床板の貫通孔が位置する箇所では第１床板固定具を用いて第１固定構造部を形成し、上記梁フランジの上面外に床板の貫通孔が位置する箇所では第２床板固定具を用いて第２固定構造部を形成すればよいので、上記床板の貫通孔と梁フランジとの位置関係に影響を受けることなく、効率的に床板の固定作業を行うことができる。
【０００９】
上記複数の床板は、同一種で上記貫通孔を同一位置に有している一方、上記梁フランジとして異なるサイズが用いられてもよい。これによれば、同一種の床板を用いて当該床板の設置固定作業を効率的に行える。また、強度が必要な箇所で大きな梁フランジを用い、他の箇所では小さな梁フランジを用いることが容易になることから、経済的な建物設計が可能になる。
【００１０】
上記第１固定構造部で用いられる第１床板固定具は、上記貫通孔に挿入される軸部と、上記軸部を上記床板の上面側で係止する係止部と、上記軸部の下端側に設けられた連結部と、上記床板の下面側で上記連結部に連結されるとともに上記梁フランジの縁に係合する係合部と、とを有してもよい。
【００１１】
上記第２固定構造部で用いられる固定具は、上記貫通孔に上側から挿入されて当該貫通孔の下側から出る箇所に、上記梁フランジの下面側に位置できるフックを有してもよい。
【００１２】
また、この発明の床板固定具は、床板を梁フランジに固定する床板固定具において、軸部と、上記軸部の上端側で当該軸部に交差する方向に張り出す係止部と、上記軸部の下端側に設けられており、上記係止部よりも張り出し量が小さくされた連結部と、上記連結部に着脱自在に連結されるとともに、上記梁フランジの縁に係合する係合部と、とを有することを特徴とする。
【００１３】
上記の構成であれば、建物の床構造に用いられる梁フランジの上面上に床板の貫通孔が位置する箇所において、好適に床板を梁フランジに固定することが可能になる。
【００１４】
また、上記床板固定具において、少なくとも上記軸部の上端側に螺子部が形成されており、上記螺子部に螺合されているナットが回されることで、上記係合部が上記軸部の軸方向に移動してもよい。
【発明の効果】
【００１５】
本発明であれば、床板の設置固定作業を効率的に行うことができるという効果を奏する。
【図面の簡単な説明】
【００１６】
【図１】本発明の実施形態に係る床板固定構造の一例を示した説明図である。
【図２】図１の床板固定構造における第１固定構造部を拡大して示した図であって、同図（Ａ）は概略の平面図であり、同図（Ｂ）は概略の側面図である。
【図３】図１の床板固定構造における第１固定構造部に用いられている第１床板固定具を拡大して示した斜視図である。
【図４】図１の床板固定構造における第２固定構造部に用いられている第２床板固定具を拡大して示した図であり、同図（Ａ）は側面図であり、同図（Ｂ）は正面図である。
【図５】図１の床板固定構造における第１固定構造部の他の構成例を示した側面図である。
【発明を実施するための形態】
【００１７】
以下、この発明の実施の形態を添付図面に基づいて説明する。
図１に示すように、この実施形態にかかる建物の床板固定構造においては、梁フランジ３上に置かれた複数の床板４が、各床板４に形成されている貫通孔４ａに装着された第１床板固定具１と第２床板固定具２とによって、それぞれ上記梁フランジ３に固定されている。そして、この床板固定構造においては、上記梁フランジ３（３Ａ）の上面上に位置する貫通孔４ａに上記第１床板固定具１が装着されて第１固定構造部１００が形成されており、上記梁フランジ３（３Ｂ）の上面外に位置する貫通孔４ａに上記第２床板固定具２が装着されて第２固定構造部２００が形成されている。
【００１８】
この例では、上記梁フランジ３は、Ｈ形鋼における上側フランジ部からなり、また、上記床板４は、厚さが１００ｍｍ程度で長方形に形成されたＡＬＣ（Autoclaved Lightweight aerated Concrete）板からなる。また、上記複数の床板４は、同一種類のものであり、上記貫通孔４ａを同一位置に有している。上記貫通孔４ａは、例えば、床板４の端面から８０ｍｍ程度の位置に中心が位置するように形成されている。また、上記貫通孔４ａの直径は、例えば、２３ｍｍ程度とされる。また、上記貫通孔４ａが形成されている上部側には、例えば、直径が６０ｍｍ程度の円形で深さが２５ｍｍ程度の座繰り部４ｂが形成されている。
【００１９】
一方、上記Ｈ形鋼として異なるサイズのものが用いられており、上記第１固定構造部１００における梁フランジ３Ａのフランジ幅は、例えば、２００ｍｍ程度とされ、上記第２固定構造部２００における梁フランジ３Ｂのフランジ幅は、例えば、１５０ｍｍ程度とされている。また、上記梁フランジ３と上記床板４との間には、厚さが１０ｍｍ程度の緩衝部材５（ゴム板、発泡体板等）が設けられることで間隙が存在している。
【００２０】
上記第１床板固定具１は、図２（Ａ）、図２（Ｂ）および図３に示すように、上記貫通孔４ａに挿入される螺子軸部１１と、上記螺子軸部１１を上記床板４の上面側で係止する係止部１２と、上記螺子軸部１１の下端側に設けられた連結部１４と、上記床板４の下面側で上記連結部１４に連結されるとともに上記梁フランジ３の縁に係合する係合部１３とを有する。換言すれば、上記第１床板固定具１は、上記螺子軸部１１と、上記螺子軸部１１の上端側で当該螺子軸部１１に交差（直交）する方向に張り出す上記係止部１２と、上記螺子軸部１１の下端側に設けられており、上記係止部１２よりも張り出し量が小さくされた連結部１４と、上記連結部１４に着脱自在に連結されるとともに、上記梁フランジ３の縁に係合する係合部１３と、とを有する。
【００２１】
上記螺子軸部１１は、その一端側に上記連結部１４となる六角形頭部（丸頭等でもよい）を有したボルトからなり、上記六角形頭部を下にして、上記貫通孔４ａに挿通されている。上記六角頭部は、上記貫通孔４ａに入る大きさを有している。
【００２２】
上記係止部１２は、座金部１２ａと、この座金部１２ａよりも上記螺子軸部１１の上側で螺合されるナット１２ｂとからなる。上記座金部１２ａは、上記座繰り部４ｂよりも小さく、上記貫通孔４ａよりも大きい円形を有し、上記螺子軸部１１が挿通される孔を有する。上記座金部１２ａは、上記ナット１２ｂと一体であってもよいし、別体にして上記螺子軸部１１に遊嵌されるようにしてもよい。
【００２３】
上記係合部１３は、上側片１３ａおよび下側片１３ｂを有するとともにこれら片を繋ぐ繋ぎ部１３ｃを有する。また、上記下側片１３ｂの上面部には緩衝部材であるゴム板１３ｄが貼り付けられており、このゴム板１３ｄを介して上記下側片１３ｂが上記梁フランジ３の下面に圧接できるようになっている。上記緩衝部材は、ゴム板に限らない。また、緩衝部材は必ずしも必要ではない。
【００２４】
また、上側片１３ａには、上記螺子軸部１１が入る大きさで上記連結部１４（六角頭部）よりも小さな幅でカット部１３ｅが形成されており、このカット部１３ｅに上記螺子軸部１１が入り、上記上側片１３ａの下側に上記連結部１４が位置することで、上記係合部１３が上記螺子軸部１１に連結される。
【００２５】
上記カット部１３ｅは、上記係合部１３の差し込み方向（上記梁フランジ３の長手方向と交差（直交）する方向）に切り込まれて形成されているが、これに限らない。例えば、上記カット部１３ｅが上記係合部１３の差し込み方向と交差（直交）する方向（上記梁フランジ３の長手方向）に切り込まれて形成されており、上記係合部１３を上記梁フランジ３の縁に差し込んでから当該梁フランジ３の長手方向にずらすことで、上記カット部１３ｅに上記螺子軸部１１を入れるようにしてもよい。このように上記カット部１３ｅが形成されていると、上記係合部１３が上記差し込み方向と反対の方向にずれ落ちようとするのを防止することができる。また、上記カット部１３ｅが差し込み方向と同方向に形成されていると、係合状態が確認し難い箇所での差し込み不良の問題が生じ易いが、上記のように、カット部１３ｅが上記係合部１３の差し込み方向と交差する方向に形成されていると、この交差方向の移動動作も必要になることから、この２つの動作によって、係合不良が生じるのを低減することができる。
【００２６】
上記第１床板固定具１の締め付けは、上記床板４の上側で上記ナット１２ｂを回すことで行うことができる。なお、上記螺子軸部１１の全部に螺子が切られている必要はなく、少なくとも先端（上端）部に形成されていればよい。
【００２７】
上記第２床板固定具２は、例えば、特許文献１に記載の固定金物と同一構造のものである。この第２床板固定具２を簡単に説明すると、図４にも示すように、金物基体２１の下端にフック２２の一端が枢着され、フック２２は、金物基体２１に沿う退避位置から、自重で特定の一方向に回動し側方に開くようになっている。そして、この金物基体２１にボルト２３が螺合されており、上記床板４の上側からのボルト２３の回転締付けにより、上記梁フランジ３に上記床板４が座金部材２４とフック２２とで挟み込まれて固定される。上記ボルト２３および金物基体２１は上記貫通孔４ａに挿通可能であり、上記座金部材２４は上記座繰り部４ｂに入ることができる。
【００２８】
上記第２床板固定具２は、上記の構成を有するものに限るものではなく、上記貫通孔４ａに上側から挿入されて当該貫通孔４ａの下側から出る箇所に、回動によって上記梁フランジ３の下面側に位置できるフックを有し、ボルトの回転締付けにより、上記梁フランジ３に上記床板４が固定されるものであればよい。
【００２９】
上記の構成であれば、梁フランジ３の上面上に床板４の貫通孔４ａが位置する箇所と、梁フランジ３の上面外に床板４の貫通孔４ａが位置する箇所とが混在する場合でも、上記梁フランジ３の上面上に床板４の貫通孔が位置する箇所では第１床板固定具１を用いて第１固定構造部１００を形成し、上記梁フランジ３の上面外に床板４の貫通孔４ａが位置する箇所では第２床板固定具２を用いて第２固定構造部２００を形成すればよいので、上記貫通孔４ａと梁フランジ３との位置関係に影響を受けることなく、効率的に床板４の固定作業を行うことができる。
【００３０】
上記複数の床板４が同一種で上記貫通孔４ａを同一位置に有し、上記梁フランジ３として異なるサイズが用いられる場合でも、同一種の床板４を用いて当該床板４の設置固定作業を効率的に行える。また、強度が必要な箇所で大きな梁フランジ３Ａを用い、他の箇所では小さな梁フランジ３Ｂを用いることが容易になることから、経済的な建物設計が可能になる。
【００３１】
また、上記第１床板固定具１は、上記螺子軸部１１と、上記螺子軸部１１の上端側で当該螺子軸部１１に交差（直交）する方向に張り出す上記係止部１２と、上記螺子軸部１１の下端側に設けられており、上記係止部１２よりも張り出し量が小さくされた連結部１４と、上記連結部１４に着脱自在に連結されるとともに、上記梁フランジ３の縁に係合する係合部１３と、とを有しており、床板４の上面側に位置する係止部１２のナット１２ｂによって締め付け固定が行える。同様に、上記第２床板固定具２も、床板４の上面側から締め付け固定が行える。
【００３２】
このように、上記第１床板固定具１および上記第２床板固定具２がともに床板４の上側での締め付け操作が行えると、締め付け作業が効率的に行えることになる。
【００３３】
上記第１床板固定具１は、上記の構成に限らず、図５に示すように、上記係合部１３の下側片１３ｂにナット部１３ｆを有し、このナット部１３ｆにボルト１３ｇが下から螺合され、このボルト１３ｇの螺子上端部（この螺子上端部に緩衝部材が設けられていてもよい。）が梁フランジ３の下面に当たる構造を有していてもよい。このような構造であると、上記係合部１３を上記螺子軸部１１に連結する作業に続けて、床板４の下面側で上記ボルト１３ｇを回転操作し、上記第１床板固定具１の締め付けを行うこともできる。なお、上記係合部１３の上側片１３ａと下側片１３ｂとを分離し、これらを螺子止めする構造を採用することもできる。また、ナット１２ｂによる締め付け固定を採用しない場合には、当該ナット１２ｂを螺子軸部１１にカシメや溶接によって固定しておくこととしてもよい。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３５】
１      ：第１床板固定具
２      ：第２床板固定具
３      ：梁フランジ
４      ：床板
４ａ    ：貫通孔
４ｂ    ：座繰り部
５      ：緩衝部材
１１    ：螺子軸部（軸部）
１２    ：係止部
１２ａ  ：座金部
１２ｂ  ：ナット
１３    ：係合部
１３ａ  ：上側片
１３ｂ  ：下側片
１３ｃ  ：繋ぎ部
１３ｄ  ：ゴム板
１３ｅ  ：カット部
１３ｆ  ：ナット部
１３ｇ  ：ボルト
１４    ：連結部
２１    ：金物基体
２２    ：フック
２３    ：ボルト
２４    ：座金部材
１００  ：第１固定構造部
２００  ：第２固定構造部
【図１】
0006639902.tif 000002
【図２】
0006639902.tif 000003
【図３】
0006639902.tif 000004
【図４】
0006639902.tif 000005
【図５】
0006639902.tif 000006